【手続補正書】
【提出日】令和1年11月7日(2019.11.7)
【手続補正１】
【補正対象書類名】特許請求の範囲
【補正対象項目名】全文
【補正方法】変更
【補正の内容】
【特許請求の範囲】
【請求項１】
サーバによって実行される送金方法であって、
差出人の電子機器から送金額を含む送金要請を受信する受信工程と、
受信した前記送金要請に対応する取引セッションにアクセスするための取引リンクを生成する生成工程と、
生成した前記取引リンクを提供する第１の提供工程と、
提供した前記取引リンクを介してアクセスした受取人の電子機器に、前記取引セッションの送金先である受取口座番号を入力するためのインタフェースを提供する第２の提供工程と、
前記インタフェースに入力された前記受取口座番号から、前記受取口座番号に対応する口座の名義人名を取得する取得工程と、
前記差出人の引落口座から前記名義人名が取得された前記口座に前記送金額の送金処理を行う送金処理工程と、を含むことを特徴とする送金方法。
【請求項２】
前記送金要請は、前記受取口座番号を識別するための情報および前記受取口座番号に対応する前記口座の名義人名を識別するための情報を含まないことを特徴とする、請求項１に記載の送金方法。
【請求項３】
前記送金要請は、前記取引セッションの識別のための取引タイトルと、前記差出人が前記取引セッションと関連して前記受取人に伝達するためのメッセージのうちの少なくとも一方をさらに含み、
前記取引リンクは、前記取引タイトルと前記メッセージのうちの少なくとも一方と前記送金額を利用して生成されることを特徴とする、請求項１に記載の送金方法。
【請求項４】
前記送金要請は、前記受取人の電話番号または電子メールアドレスをさらに含み、
前記第１の提供工程は、
前記電話番号を利用したＳＭＳまたはＭＭＳによって、生成した前記取引リンクを前記受取人の電子機器に提供するか、前記電子メールアドレスを利用した電子メールによって、生成した前記取引リンクを前記受取人の電子機器に提供することを特徴とする、請求項１に記載の送金方法。
【請求項５】
前記第１の提供工程は、
生成した前記取引リンクが前記差出人を経て前記受取人に伝達されるように、生成した前記取引リンクを前記差出人の電子機器に送信することを特徴とする、請求項１に記載の送金方法。
【請求項６】
前記第２の提供工程は、
提供した前記取引リンクを介してアクセスした前記受取人の電子機器に、前記受取口座番号を入力するためのインタフェースを含むサービスページを提供し、前記サービスページのインタフェースで前記受取口座番号が入力されるようにすることを特徴とする、請求項１に記載の送金方法。
【請求項７】
前記第２の提供工程は、
提供した前記取引リンクを介してアクセスした前記受取人の電子機器に、前記受取人の電子機器にインストールされたメッセンジャーを呼び出すための命令を送信し、前記受取人の電子機器で駆動するメッセンジャーで前記受取口座番号を入力するためのインタフェースを提供することを特徴とする、請求項１に記載の送金方法。
【請求項８】
前記取得工程は、
取得した前記名義人名を前記差出人または前記受取人の電子機器に送信し、前記差出人または前記受取人の電子機器から受信される名義人名確認信号によって前記名義人名を確認することを特徴とする、請求項１に記載の送金方法。
【請求項９】
前記取得工程は、
前記インタフェースで前記受取口座番号と共に前記受取人の名前が入力され、前記受取口座番号から取得した前記名義人名と、入力された前記受取人の名前とを比べて前記名義人名を確認することを特徴とする、請求項１に記載の送金方法。
【請求項１０】
サーバによって実装される送金システムであって、
差出人の電子機器から送金額を含む送金要請を受信する受信手段と、
受信した前記送金要請に対応する取引セッションにアクセスするための取引リンクを生成する生成手段と、
生成した前記取引リンクを提供する第１の提供手段と、
提供した前記取引リンクを介してアクセスした受取人の電子機器に、前記取引セッションの送金先である受取口座番号を入力するためのインタフェースを提供する第２の提供手段と、
前記インタフェースに入力された前記受取口座番号から、前記受取口座番号に対応する口座の名義人名を取得する取得手段と、
前記差出人の引落口座から前記名義人名が取得された前記口座に前記送金額の送金処理を行う送金処理手段と、を含むことを特徴とする送金システム。
【請求項１１】
前記送金要請は、前記受取口座番号を識別するための情報および前記受取口座番号に対応する前記口座の名義人名を識別するための情報を含まないことを特徴とする、請求項１０に記載の送金システム。
【請求項１２】
前記送金要請は、前記取引セッションの識別のための取引タイトルと、前記差出人が前記取引セッションと関連して前記受取人に伝達するためのメッセージのうちの少なくとも一方をさらに含み、
前記取引リンクは、前記取引タイトルと前記メッセージのうちの少なくとも一方と前記送金額を利用して生成されることを特徴とする、請求項１０に記載の送金システム。
【請求項１３】
前記送金要請は、前記受取人の電話番号または電子メールアドレスをさらに含み、
前記第１の提供手段は、
前記電話番号を利用したＳＭＳまたはＭＭＳによって、生成した前記取引リンクを前記受取人の電子機器に提供するか、前記電子メールアドレスを利用した電子メールによって、生成した前記取引リンクを前記受取人の電子機器に提供することを特徴とする、請求項１０に記載の送金システム。
【請求項１４】
前記第１の提供手段は、
生成した前記取引リンクが前記差出人を経て前記受取人に伝達されるように、生成した前記取引リンクを前記差出人の電子機器に送信することを特徴とする、請求項１０に記載の送金システム。
【手続補正２】
【補正対象書類名】明細書
【補正対象項目名】発明の名称
【補正方法】変更
【補正の内容】
【発明の名称】送金方法および送金システム
【手続補正３】
【補正対象書類名】明細書
【補正対象項目名】０００６
【補正方法】変更
【補正の内容】
【０００６】
サーバによって実行される送金方法であって、差出人の電子機器から送金額を含む送金要請を受信する受信工程と、受信した前記送金要請に対応する取引セッションにアクセスするための取引リンクを生成する生成工程と、生成した前記取引リンクを提供する第１の提供工程と、提供した前記取引リンクを介してアクセスした受取人の電子機器に、前記取引セッションの送金先である受取口座番号を入力するためのインタフェースを提供する第２の提供工程と、前記インタフェースに入力された前記受取口座番号から、前記受取口座番号に対応する口座の名義人名を取得する取得工程と、前記差出人の引落口座から前記名義人名が取得された前記口座に前記送金額の送金処理を行う送金処理工程と、を含むことを特徴とする送金方法を提供する。
【手続補正４】
【補正対象書類名】明細書
【補正対象項目名】０００７
【補正方法】変更
【補正の内容】
【０００７】
サーバによって実装される送金システムであって、差出人の電子機器から送金額を含む送金要請を受信する受信手段と、受信した前記送金要請に対応する取引セッションにアクセスするための取引リンクを生成する生成手段と、生成した前記取引リンクを提供する第１の提供手段と、提供した前記取引リンクを介してアクセスした受取人の電子機器に、前記取引セッションの送金先である受取口座番号を入力するためのインタフェースを提供する第２の提供手段と、前記インタフェースに入力された前記受取口座番号から、前記受取口座番号に対応する口座の名義人名を取得する取得手段と、前記差出人の引落口座から前記名義人名が取得された前記口座に前記送金額の送金処理を行う送金処理手段と、を含むことを特徴とする送金システムを提供する。
【手続補正５】
【補正対象書類名】明細書
【補正対象項目名】０００８
【補正方法】変更
【補正の内容】
【０００８】
（削除）